(57)【要約】【課題】違和感を与えることなく測定値を表示し得る測定装置を提供する。【解決手段】電流信号Ｓｉの電流値を測定してその測定値Ｉｍの絶対値が閾値Ｌよりも大きいときに測定値Ｉｍを示す数値を表示部２２に表示させると共に測定値Ｉｍの絶対値が閾値Ｌ以下のときにゼロを示す数値を表示部２２に表示させるＣＰＵ２４を備え、ＣＰＵ２４は、測定値Ｉｍの絶対値が閾値Ｌよりも大きい値から閾値Ｌ以下の値に変化したときに、その絶対値が変化の直前に表示させた測定値Ｉｍの絶対値よりも小さくかつゼロよりも大きい補完値をゼロを示す数値の表示に先立って表示部２２に表示させる。【選択図】図２
2008039531.tif 000002
【特許請求の範囲】
【請求項１】
所定の物理量を測定する測定部と、当該測定部によって測定された前記物理量の測定値の絶対値が所定の閾値よりも大きいときに当該測定値を表示部に表示させると共に当該測定値の絶対値が当該閾値以下のときにゼロを示す数値を当該表示部に表示させる制御部とを備えた測定装置であって、
前記制御部は、前記測定値の絶対値が前記閾値よりも大きい値から当該閾値以下の値に変化したときに、その絶対値が当該変化の直前に表示させた前記測定値の絶対値よりも小さくかつゼロよりも大きい第１補完値を前記ゼロを示す数値の表示に先立って前記表示部に表示させる測定装置。
【請求項２】
前記第１補完値は、直前に表示させた数値と当該第１補完値との差分値、および当該第１補完値と次に表示させる数値との差分値が互いに同一またはほぼ同一となるようにその大きさが規定されている請求項１記載の測定装置。
【請求項３】
前記制御部は、前記測定値の絶対値が前記閾値以下の値から当該閾値よりも大きい値に変化したときに、その絶対値がゼロよりも大きくかつ当該変化の直後における前記測定値よりも小さい第２補完値を当該測定値の表示に先立って前記表示部に表示させる請求項１または２記載の測定装置。
【請求項４】
前記第２補完値は、直前に表示させた数値と当該第２補完値との差分値、および当該第２補完値と次に表示させる数値との差分値が互いに同一またはほぼ同一となるようにその大きさが規定されている請求項３記載の測定装置。
【請求項５】
所定の物理量を測定して当該物理量の測定値の絶対値が所定の閾値よりも大きいときに当該測定値を表示部に表示すると共に当該測定値の絶対値が当該閾値以下のときにゼロを示す数値を当該表示部に表示する表示方法であって、
前記測定値の絶対値が前記閾値よりも大きい値から当該閾値以下の値に変化したときに、その絶対値が当該変化の直前に表示した前記測定値の絶対値よりも小さくかつゼロよりも大きい第１補完値を前記ゼロを示す数値の表示に先立って前記表示部に表示する表示方法。
【発明の詳細な説明】
【技術分野】
【０００１】
本発明は、測定値の絶対値が所定の閾値よりも大きいときにその測定値を表示すると共に測定値の絶対値がその閾値以下のときにゼロを示す数値を表示する測定装置および表示方法に関するものである。
【背景技術】
【０００２】
所定の物理量を測定する測定装置では、一般的に、測定対象の物理量の値が小さいときには、検出精度が低下するという検出部の特性上の原因や、ノイズ等の外乱の影響に起因して、測定誤差が生じ易くなる結果、測定値が変動したり、物理量の値がゼロであるにも拘わらずゼロ以外の値が測定されるといった不都合が生じることがある。このような不都合を解消可能な技術として、特開２００５−３１５７１２号公報に開示された流量センサ装置が知られている。この流量センサ装置は、流量センサ、表示制御回路および第１表示器を有するヘッド部と、マイクロプロセッサを有するアンプ部とを備えて構成されている。
【０００３】
この流量センサ装置では、ヘッド部の表示制御回路が流量センサからの検出信号を処理して表示用信号を第１表示器に出力することにより、流量センサによって検出された気体の流量が第１表示器に表示される。また、この流量センサ装置では、検出流量レベルが所定の閾値よりも低いときには、アンプ部のマイクロプロセッサが、ヘッド部に対して表示抑制信号を出力し、ヘッド部の表示制御回路が、この表示抑制信号に応じて、流量センサからの検出信号の有無に拘わらず、第１表示器による流量の表示の停止、または流量がゼロである旨の表示を行う。このため、この流量センサ装置では、例えば、流量が少ない状態において、ノイズ等の影響によって検出信号の信号レベルが変動して、表示される数値が頻繁に切り替わったり、実際の流量がゼロであるにも拘わらず、ノイズ等の影響によって検出信号が出力されてゼロ以外の数値が表示されたりするような不都合を解消することが可能となっている。
【特許文献１】特開２００５−３１５７１２号公報（第１３頁、第１２，１３図）
【発明の開示】
【発明が解決しようとする課題】
【０００４】
ところが、上記の流量センサ装置には、以下の問題点がある。すなわち、この流量センサ装置では、検出流量レベルが閾値よりも低いときに、流量の表示の停止、または流量がゼロである旨の表示（以下、この表示を「ゼロ表示」ともいう）を行うことで、上記した効果の実現を図っている。この場合、例えば、ノイズ等の影響による検出信号の信号レベルの変動幅が大きい状態において上記した効果を実現するためには、閾値も大きな値に設定する必要がある。しかしながら、閾値が大きいほど、ゼロ表示によって表示されるゼロの数値と、ゼロ表示以前に表示されていた検出流量レベルを示す数値との差異が大きくなる。このため、この流量センサ装置では、閾値を大きい値に設定した状態で、例えば、レベルが徐々に低下する流量を検出したときには、閾値以上のレベルにおいては表示される数値が徐々に低下して、レベルが閾値よりも低い値に低下した途端にゼロが表示され、しかもそのときに示される２つの値の差が大きいため、使用者に対して違和感を与えたり、時として、装置に故障が発生したとの疑念を使用者に生じさせたりするおそれがある。この場合、閾値を小さな値に設定する方法も考えられるが、信号レベルの変動幅が大きいときには、上記の効果を実現することが難しく、この方法を採用するのは困難である。
【０００５】
本発明は、かかる問題点に鑑みてなされたものであり、違和感を与えることなく測定値を表示し得る測定装置および表示方法を提供することを主目的とする。
【課題を解決するための手段】
【０００６】
上記目的を達成すべく請求項１記載の測定装置は、所定の物理量を測定する測定部と、当該測定部によって測定された前記物理量の測定値の絶対値が所定の閾値よりも大きいときに当該測定値を表示部に表示させると共に当該測定値の絶対値が当該閾値以下のときにゼロを示す数値を当該表示部に表示させる制御部とを備えた測定装置であって、前記制御部は、前記測定値の絶対値が前記閾値よりも大きい値から当該閾値以下の値に変化したときに、その絶対値が当該変化の直前に表示させた前記測定値の絶対値よりも小さくかつゼロよりも大きい第１補完値を前記ゼロを示す数値の表示に先立って前記表示部に表示させる。
【０００７】
また、請求項２記載の測定装置は、請求項１記載の測定装置において、前記第１補完値は、直前に表示させた数値と当該第１補完値との差分値、および当該第１補完値と次に表示させる数値との差分値が互いに同一またはほぼ同一となるようにその大きさが規定されている。
【０００８】
また、請求項３記載の測定装置は、請求項１または２記載の測定装置において、前記制御部は、前記測定値の絶対値が前記閾値以下の値から当該閾値よりも大きい値に変化したときに、その絶対値がゼロよりも大きくかつ当該変化の直後における前記測定値よりも小さい第２補完値を当該測定値の表示に先立って前記表示部に表示させる。
【０００９】
さらに、請求項４記載の測定装置は、請求項３記載の測定装置において、前記第２補完値は、直前に表示させた数値と当該第２補完値との差分値、および当該第２補完値と次に表示させる数値との差分値が互いに同一またはほぼ同一となるようにその大きさが規定されている。
【００１０】
また、請求項５記載の表示方法は、所定の物理量を測定して当該物理量の測定値の絶対値が所定の閾値よりも大きいときに当該測定値を表示部に表示すると共に当該測定値の絶対値が当該閾値以下のときにゼロを示す数値を当該表示部に表示する表示方法であって、前記測定値の絶対値が前記閾値よりも大きい値から当該閾値以下の値に変化したときに、その絶対値が当該変化の直前に表示した前記測定値の絶対値よりも小さくかつゼロよりも大きい第１補完値を前記ゼロを示す数値の表示に先立って前記表示部に表示する。
【発明の効果】
【００１１】
請求項１記載の測定装置および請求項５記載の表示方法によれば、測定値の絶対値が閾値よりも大きい値から閾値以下の値に変化したときに、その絶対値が変化の直前に表示した測定値の絶対値よりも小さくかつゼロよりも大きい第１補完値をゼロを示す数値の表示に先立って表示部に表示することにより、あたかも測定値が変化の直前における測定値からゼロまで徐々に変化したかのように視認させることができる。このため、例えば、測定値の絶対値が閾値を超える値から閾値以下の値に変化したときに、閾値を超える測定値がゼロを示す数値に一気に切り替えられて、その切り替え前後の２つの値の差が大きいことに起因する違和感を確実に解消することができる。
【００１２】
請求項２記載の測定装置によれば、直前に表示させた数値と第１補完値との差分値、および第１補完値と次に表示させる数値との差分値が互いに同一またはほぼ同一となるように第１補完値の大きさを規定したことにより、あたかも測定値が一定の変化率で変化（低下）しているかのように視認させることができる。このため、測定値および第１補完値を一層違和感なく表示させることができる。
【００１３】
請求項３記載の測定装置によれば、制御部が、測定値の絶対値が閾値以下の値から閾値よりも大きい値に変化したときに、その絶対値がゼロよりも大きくかつ変化の直後における測定値よりも小さい第２補完値を測定値の表示に先立って表示部に表示させることにより、あたかも測定値がゼロから変化の直前における測定値まで徐々に変化したかのように視認させることができる。このため、例えば、測定値の絶対値が閾値以下の値から閾値を超える値に変化したときに、ゼロを示す数値が閾値を超える測定値に一気に切り替えられて、その切り替え前後の２つの値の差が大きいことに起因する違和感を確実に解消することができる。
【００１４】
請求項４記載の測定装置によれば、直前に表示させた数値と第２補完値との差分値、および第２補完値と次に表示させる数値との差分値が互いに同一またはほぼ同一となるように第２補完値の大きさを規定したことにより、あたかも測定値が一定の変化率で変化（上昇）しているかのように視認させることができる。このため、測定値および第２補完値を一層違和感なく表示させることができる。
【発明を実施するための最良の形態】
【００１５】
以下、本発明に係る測定装置および表示方法の最良の形態について、添付図面を参照して説明する。
【００１６】
最初に、電流測定装置１の構成について説明する。図１に示す電流測定装置１は、例えば、測定対象体（一例として、同図に示す電線２００）に流れる電流信号Ｓｉの電流値（本発明における物理量の一例）を非接触で測定可能なクランプ式の電流測定装置であって、磁気センサ２および本体部３を備えて構成されている。磁気センサ２は、第１センサ１１ａおよび第２センサ１１ｂ（以下、両者を区別しないときには「センサ１１」ともいう）を備えて構成されている。
【００１７】
第１センサ１１ａは、図１に示すように、平面視半円状に形成されて内部にコイルが収容されたセンサ本体１２ａ、およびセンサ本体１２ａと一体形成されたレバー１３ａを備えて構成されている。第２センサ１１ｂは、同図に示すように、センサ本体１２ｂ（以下、第１センサ１１ａのセンサ本体１２ａと区別しないときには「センサ本体１２」ともいう）、およびセンサ本体１２ｂと一体形成されたレバー１３ｂ（以下、第１センサ１１ａのレバー１３ａと区別しないときには「レバー１３」ともいう）を備えて構成されている。この場合、両センサ１１は、各センサ本体１２にそれぞれ形成された軸孔に軸（いずれも図示せず）が挿通されることにより、その軸を介して本体部３に回動可能に取り付けられると共に、図外のばねによって同図に示す矢印Ｘ，Ｙの向きにそれぞれ付勢されている。この場合、磁気センサ２は、同図に示すように、測定対象体としての電線２００を両センサ１１によって取り囲んだ状態において、電線２００に電流信号Ｓｉが流れることによって電線２００から発生する磁気を検出して、検出信号Ｓｄを出力する。
【００１８】
本体部３は、図２に示すように、Ａ／Ｄ変換部２１、表示部２２、操作部２３、ＣＰＵ２４、ＲＡＭ２５、ＲＯＭ２６、およびこれらの各構成要素が収容または配設されるケース２７（図１参照）を備えて構成されている。Ａ／Ｄ変換部２１は、磁気センサ２から出力される検出信号Ｓｄをアナログ／デジタル変換して電流データＤｉを出力する。表示部２２は、例えば液晶パネルで構成されて、ケース２７の正面パネルに配設されている。また、表示部２２は、ＣＰＵ２４の制御に従って電流値等を表示する。操作部２３は、電源スイッチやレンジ切替えスイッチ等の各種のスイッチを備えて構成されて、図１に示すように、ケース２７の正面パネルに配設されている。また、操作部２３は、スイッチ操作に応じた操作信号を出力する。
【００１９】
ＣＰＵ２４は、本発明における測定部および制御部に相当し、操作部２３から出力される操作信号に従って本体部３を構成する各部を制御する。また、ＣＰＵ２４は、図３に示す測定処理３０を実行することにより、Ａ／Ｄ変換部２１から出力される電流データＤｉに基づいて電流信号Ｓｉの電流値を所定間隔で算出（測定）すると共に、算出した電流値（以下、この値を「測定値Ｉｍ」ともいう）を示す表示値Ｉｄを表示部２２に表示させる。
【００２０】
この場合、上記した磁気センサ２を含むこの種の磁気センサでは、その特性上、測定対象体としての電線２００に流れる電流信号Ｓｉの電流値が小さいときには、電流値が大きいときと比較して、検出信号Ｓｄの検出精度がやや低下する傾向がある。また、電流信号Ｓｉの電流値が小さいときには、ノイズ等の外乱の影響が大きくなる。このため、この電流測定装置１には、例えば、電流信号Ｓｉの電流値が小さいときに表示値Ｉｄが頻繁に切り替わったり、電流信号Ｓｉの電流値が実際にはゼロであるにも拘わらず、ノイズ等の影響によって検出信号Ｓｄが出力されてゼロ以外の表示値Ｉｄが表示されたりするような不都合を解消するための機能として、ゼロサプレス機能が備えられている。具体的には、測定値Ｉｍの絶対値が所定の閾値Ｌ以下のときには、ＣＰＵ２４が、測定値Ｉｍを示す表示値Ｉｄの表示に変えて、ゼロを示す表示値Ｉｄ、（一例として、図５の右端図に示す「０．００Ａ」の表示値Ｉｄ）を表示部２２に表示させる。この場合、この電流測定装置１では、一例として、各測定レンジ毎にそれぞれ規定された測定可能な最小電流値（例えば、０．０１Ａ）の９倍（９カウント）に相当する値（この場合０．０９Ａ）が閾値Ｌとして規定されている。
【００２１】
また、この電流測定装置１では、例えば、測定値Ｉｍの絶対値が閾値Ｌを超える値から閾値Ｌ以下の値に変化したときに、測定値Ｉｍを示す表示値Ｉｄがゼロを示す表示値Ｉｄに一気に切り替えられて、その切り替え前後の表示値Ｉｄで示される２つの値の差が大きいことに起因して使用者に違和感を与えるのを解消することが可能となっている。具体的には、この電流測定装置１では、ＣＰＵ２４が、ゼロを示す表示値Ｉｄの表示に先立って補完値Ｉｃ１，Ｉｃ２（本発明における第１補完値）を示す表示値Ｉｄを表示部２２に表示させる補完処理４０（図４参照）を測定処理３０において実行する。この場合、補完値Ｉｃ１，Ｉｃ２は、その絶対値が上記した変化の直前における測定値Ｉｍの絶対値よりも小さくかつゼロよりも大きい値に規定されている。
【００２２】
また、この電流測定装置１では、例えば、測定値Ｉｍの絶対値が閾値Ｌ以下の値から閾値Ｌを超える値に変化したときに、ゼロを示す表示値Ｉｄが測定値Ｉｍを示す表示値Ｉｄに一気に切り替えられて、その切り替え前後の表示値Ｉｄで示される値の差が大きいことに起因して使用者に違和感を与えるのを解消することが可能となっている。具体的には、この電流測定装置１では、ＣＰＵ２４が、その閾値Ｌを超える表示値Ｉｄの表示に先立って補完値Ｉｃ３，Ｉｃ４（本発明における第２補完値：以下、補完値Ｉｃ３，Ｉｃ４および上記した補完値Ｉｃ１，Ｉｃ２を区別しないときには「補完値Ｉｃ」ともいう））を示す表示値Ｉｄを表示部２２に表示させる補完処理５０（図７参照）を測定処理３０において実行する。この場合、補完値Ｉｃ３，Ｉｃ４は、その絶対値がゼロよりも大きくかつ上記した変化の直後における測定値Ｉｍの絶対値よりも小さい値に規定されている。
【００２３】
ＲＡＭ２５は、ＣＰＵ２４の制御に従って測定値Ｉｍを一時的に記憶する。ＲＯＭ２６は、ＣＰＵ２４によって実行される測定処理３０において用いられる閾値Ｌを記憶する。
【００２４】
次に、電流測定装置１を用いて電流を測定する際の電流測定装置１の動作について、図面を参照して説明する。
【００２５】
例えば、図１に示す電線２００に流れている電流の測定値Ｉｍを測定する際には、まず、操作部２３のレンジ切替えスイッチを操作して、例えば、測定可能な最小電流値が０．０１Ａに規定されている測定レンジを選択する。次いで、両センサ１１のレバー１３を本体部３側に押し込むことにより、両センサ１１の先端部を互いに離反させる。続いて、電線２００を両センサ１１によって取り囲んだ状態でレバー１３の押し込みを解除する。この際に、両センサ１１が図外のばねの付勢力によって図１に示す矢印Ｘ，Ｙの向きに回動させられて、同図に示すように、両センサ１１の先端部同士が互いに連結する。次いで、両センサ１１のコイルが、電線２００に電流信号Ｓｉが流れることによって電線２００から発生している磁気を検出して、検出信号Ｓｄを出力する。次いで、Ａ／Ｄ変換部２１が、検出信号Ｓｄをアナログ／デジタル変換して電流データＤｉを出力する。
【００２６】
続いて、ＣＰＵ２４が、図３に示す測定処理３０を所定時間間隔で実行する。この測定処理３０では、ＣＰＵ２４は、Ａ／Ｄ変換部２１から出力された電流データＤｉに基づいて測定値Ｉｍを算出すると共に、測定値ＩｍをＲＡＭ２５に記憶させる（ステップ３１）。次いで、ＣＰＵ２４は、選択されている測定レンジに対応する閾値Ｌ（例えば０．０９Ａ）をＲＯＭ２６から読み出すと共に、測定値Ｉｍと閾値Ｌとを比較して、測定値Ｉｍが閾値Ｌ以下であるか否かを判別する（ステップ３２）。この場合、例えば、測定値Ｉｍが０．１２Ａであるときには、ＣＰＵ２４は、測定値Ｉｍが閾値Ｌ以下ではないと判別して、続いて、ＲＡＭ２５に記憶されている測定値Ｉｍの大きさの変化に基づき、測定値Ｉｍの絶対値が閾値Ｌ以下の値から閾値Ｌよりも大きい値に変化したか否かを判別する（ステップ３３）。この場合、例えば、上記した０．１２Ａの測定値Ｉｍの直前にＲＡＭ２５に記憶させた（測定した）測定値Ｉｍの絶対値が閾値Ｌよりも大きい値であるときには、ＣＰＵ２４は、ステップ３３の条件を満たさないと判別して、上記した０．１２Ａの測定値Ｉｍを示す表示値Ｉｄを表示させるための表示用データを表示部２２に出力する（ステップ３４）。これにより、図１に示すように、測定値Ｉｍを示す表示値Ｉｄ（この場合、０．１２Ａ）が表示部２２に表示される。
【００２７】
次いで、電流信号Ｓｉのレベルが低下して、測定処理３０のステップ３１において算出した測定値Ｉｍが例えば０．０７Ａとなったときには、ＣＰＵ２４は、ステップ３２において、測定値Ｉｍが閾値Ｌ以下であると判別して、続いて、ＲＡＭ２５に記憶されている測定値Ｉｍの大きさの変化に基づき、測定値Ｉｍの絶対値が閾値Ｌよりも大きい値から閾値Ｌ以下の値に変化したか否かを判別する（ステップ３５）。この場合、上記した０．０７Ａの測定値Ｉｍの直前にＲＡＭ２５に記憶させた測定値Ｉｍが０．１２Ａであるため、ＣＰＵ２４は、ステップ３５の条件を満たすと判別して、次いで、図４に示す補完処理４０を実行する（ステップ３６）。
【００２８】
この補完処理４０では、ＣＰＵ２４は、図４に示すように、その絶対値が変化の直前における測定値Ｉｍの絶対値（この場合、０．１２Ａ）よりも小さくかつゼロよりも大きい例えば２つの補完値Ｉｃ１，Ｉｃ２を算出する（ステップ４１）。この場合、ＣＰＵ２４は、補完値Ｉｃ１が補完値Ｉｃ２よりも大きく、かつ変化の直前における測定値Ｉｍと補完値Ｉｃ１との差分値、補完値Ｉｃ１と補完値Ｉｃ２との差分値、および補完値Ｉｃ２とゼロとの差分値が互いに同一（または、ほぼ同一）となるように補完値Ｉｃ１，Ｉｃ２を算出する。続いて、ＣＰＵ２４は、算出した補完値Ｉｃ１（例えば、０．０８Ａ）を示す表示値Ｉｄを表示させるための表示用データを表示部２２に出力する（ステップ４２）。次いで、ＣＰＵ２４は、ステップ４２を実行した時点から所定時間経過した時点で、補完値Ｉｃ２（例えば、０．０４Ａ）を示す表示値Ｉｄを表示させるための表示用データを表示部２２に出力する（ステップ４３）。続いて、ＣＰＵ２４は、ステップ４３を実行した時点から所定時間経過した時点でゼロを示す表示値Ｉｄを表示させるための表示用データを表示部２２に出力する（ステップ４４）。これにより、図５に示すように、変化の直前における測定値Ｉｍ（この場合、０．１２Ａ）を示す表示値Ｉｄの表示に続いて、補完値Ｉｃ１を示す表示値Ｉｄ、および補完値Ｉｃ２を示す表示値Ｉｄが、ゼロを示す表示値Ｉｄの表示に先立って表示部２２に表示され、その後にゼロを示す表示値Ｉｄが表示される。以上により、この補完処理４０が終了する。
【００２９】
この場合、ゼロを示す表示値Ｉｄの表示に先立って補完値Ｉｃ１を示す表示値Ｉｄ、および補完値Ｉｃ２を示す表示値Ｉｄが表示されるため、測定値Ｉｍがあたかも変化の直前における測定値Ｉｍからゼロまで徐々に変化したかのように視認させることが可能となる。このため、例えば、測定値Ｉｍの絶対値が閾値Ｌを超える値から閾値Ｌ以下の値に変化したときに、図６に示すように、変化の直前における測定値Ｉｍを示す「０．１２Ａ」の表示値Ｉｄがゼロを示す「０．００Ａ」の表示値Ｉｄに一気に切り替えられて、その切り替え前後における２つの値の差が大きいことに起因する違和感を解消することが可能となっている。
【００３０】
次に、電流信号Ｓｉのレベルがさらに低下して、測定処理３０のステップ３１において算出した測定値Ｉｍが例えば０．０６Ａとなったときには、ＣＰＵ２４は、ステップ３２において、測定値Ｉｍが閾値Ｌ以下であると判別して、次いで、ＲＡＭ２５に記憶されている測定値Ｉｍの大きさの変化に基づき、測定値Ｉｍの絶対値が閾値Ｌよりも大きい値から閾値Ｌ以下の値に変化したか否かを判別する（ステップ３５）。この場合、上記した０．０６Ａの測定値Ｉｍの直前にＲＡＭ２５に記憶させた測定値Ｉｍが０．０７Ａであるため、ＣＰＵ２４は、ステップ３５の条件を満たさないと判別して、続いて、ゼロを示す表示値Ｉｄを表示させるための表示用データを表示部２２に出力する（ステップ３４）。これにより、ゼロを示す表示値Ｉｄの表示が継続される。
【００３１】
次に、電流信号Ｓｉのレベルが上昇して、測定処理３０のステップ３１において算出した測定値Ｉｍが例えば０．１５Ａとなったときには、ＣＰＵ２４は、ステップ３２において、測定値Ｉｍが閾値Ｌ以下ではないと判別して、次いで、ＲＡＭ２５に記憶されている測定値Ｉｍの大きさの変化に基づき、測定値Ｉｍの絶対値が閾値Ｌ以下の値から閾値Ｌよりも大きい値に変化したか否かを判別する（ステップ３３）。この場合、上記した０．１５Ａの測定値Ｉｍの直前にＲＡＭ２５に記憶させた測定値Ｉｍが０．０６Ａであるため、ＣＰＵ２４は、ステップ３３の条件を満たすと判別して、続いて、図７に示す補完処理５０を実行する（ステップ３７）。
【００３２】
この補完処理５０では、ＣＰＵ２４は、図７に示すように、その絶対値がゼロよりも大きくかつ変化の直後における測定値Ｉｍの絶対値（この場合、０．１５Ａ）よりも小さい補完値Ｉｃ３，Ｉｃ４を算出する（ステップ５１）。この場合、ＣＰＵ２４は、補完値Ｉｃ３が補完値Ｉｃ４よりも小さく、かつゼロと補完値Ｉｃ３との差分値、補完値Ｉｃ３と補完値Ｉｃ４との差分値、および補完値Ｉｃ４と変化の直後における測定値Ｉｍとの差分値が互いに同一（または、ほぼ同一）となるように補完値Ｉｃ３，Ｉｃ４を算出する。次いで、ＣＰＵ２４は、算出した補完値Ｉｃ３（例えば、０．０５Ａ）を示す表示値Ｉｄを表示させるための表示用データを表示部２２に出力する（ステップ５２）。続いて、ＣＰＵ２４は、ステップ５２を実行した時点から所定時間経過した時点で、補完値Ｉｃ４（例えば、０．１０Ａ）を示す表示値Ｉｄを表示させるための表示用データを表示部２２に出力する（ステップ５３）。次いで、ＣＰＵ２４は、ステップ５３を実行した時点から所定時間経過した時点で、変化の直後における測定値Ｉｍ（この場合、０．１５Ａ）を示す表示値Ｉｄを表示させるための表示用データを表示部２２に出力する（ステップ５４）。これにより、図８に示すように、上記したゼロを示す表示値Ｉｄが表示されている状態から、補完値Ｉｃ３を示す表示値Ｉｄ、および補完値Ｉｃ４を示す表示値Ｉｄが、変化の直後における測定値Ｉｍを示す表示値Ｉｄの表示に先立って表示部２２に表示され、その後に変化の直後における測定値Ｉｍ（この場合、０．１５Ａ）を示す表示値Ｉｄが表示される。
【００３３】
この場合、変化の直後における測定値Ｉｍを示す表示値Ｉｄの表示に先立って補完値Ｉｃ３を示す表示値Ｉｄ、および補完値Ｉｃ４を示す表示値Ｉｄが表示されるため、測定値Ｉｍがあたかもゼロから変化の直後における測定値Ｉｍまで徐々に変化したかのように視認させることが可能となる。このため、例えば、測定値Ｉｍの絶対値が閾値Ｌ以下の値から閾値Ｌを超える値に変化したときに、図９に示すように、ゼロを示す「０．００Ａ」の表示値Ｉｄが変化の直後における測定値Ｉｍを示す「０．１５Ａ」の表示値Ｉｄに一気に切り替えられて、その切り替え前後の２つの値の差が大きいことに起因する違和感を解消することが可能となっている。
【００３４】
次に、電流信号Ｓｉのレベルがさらに上昇して、測定処理３０のステップ３１において算出した測定値Ｉｍが例えば０．１８Ａとなったときには、ＣＰＵ２４は、ステップ３２において、測定値Ｉｍが閾値Ｌ以下ではないと判別して、次いで、ＲＡＭ２５に記憶されている測定値Ｉｍの大きさの変化に基づき、測定値Ｉｍの絶対値が閾値Ｌ以下の値から閾値Ｌよりも大きい値に変化したか否かを判別する（ステップ３３）。この場合、上記した０．１８Ａの測定値Ｉｍの直前にＲＡＭ２５に記憶させた測定値Ｉｍが０．１５Ａであるため、ＣＰＵ２４は、ステップ３３の条件を満たさないと判別して、続いて、変化の直後における測定値Ｉｍ（上記した０．１８Ａの測定値Ｉｍ）を示す表示値Ｉｄを表示させるための表示用データを表示部２２に出力する（ステップ３４）。これにより、変化の直後における測定値Ｉｍ（この場合、０．１８Ａ）を示す表示値Ｉｄが表示部２２に表示される。
【００３５】
このように、この電流測定装置１によれば、ＣＰＵ２４が、測定値Ｉｍの絶対値が閾値Ｌよりも大きい値から閾値Ｌ以下の値に変化したときに、その絶対値が変化の直前における測定値Ｉｍの絶対値よりも小さくかつゼロよりも大きい補完値Ｉｃをゼロを示す表示値Ｉｄの表示に先立って表示部２２に表示させることにより、あたかも測定値Ｉｍが変化の直前における測定値Ｉｍからゼロまで徐々に変化したかのように視認させることができる。このため、例えば、測定値Ｉｍの絶対値が閾値Ｌを超える値から閾値Ｌ以下の値に変化したときに、測定値Ｉｍを示す例えば「０．１２Ａ」の表示値Ｉｄがゼロを示す「０．００Ａ」の表示値Ｉｄに一気に切り替えられて、その切り替え前後の２つの値の差が大きいことに起因する違和感を確実に解消することができる。
【００３６】
また、この電流測定装置１によれば、直前に表示させた表示値Ｉｄと補完値Ｉｃとの差分値、および補完値Ｉｃと次に表示させる表示値Ｉｄとの差分値が互いに同一またはほぼ同一となるようにその補完値Ｉｃの大きさを規定したことにより、あたかも測定値Ｉｍが一定の変化率で変化（低下）しているかのように視認させることができる。このため、測定値Ｉｍを示す表示値Ｉｄ、および補完値Ｉｃを示す表示値Ｉｄを一層違和感なく表示させることができる。
【００３７】
さらに、この電流測定装置１によれば、ＣＰＵ２４が、測定値Ｉｍの絶対値が閾値Ｌ以下の値から閾値Ｌよりも大きい値に変化したときに、その絶対値がゼロよりも大きくかつ変化の直後における測定値Ｉｍよりも小さい補完値Ｉｃをその測定値Ｉｍの表示に先立って表示部２２に表示させることにより、あたかも測定値Ｉｍがゼロから変化の直後における測定値Ｉｍまで徐々に変化したかのように視認させることができる。このため、例えば、測定値Ｉｍの絶対値が閾値Ｌ以下の値から閾値Ｌを超える値に変化したときに、ゼロを示す「０．００Ａ」の表示値Ｉｄが測定値Ｉｍを示す例えば「０．１５Ａ」の表示値Ｉｄに一気に切り替えられて、その切り替え前後の２つの値の差が大きいことに起因する違和感を確実に解消することができる。
【００３８】
また、この電流測定装置１によれば、直前に表示させた表示値Ｉｄと補完値Ｉｃの差分値、および補完値Ｉｃと次に表示させる表示値Ｉｄとの差分値が互いに同一またはほぼ同一となるようにその補完値Ｉｃの大きさを規定したことにより、あたかも測定値Ｉｍが一定の変化率で変化（上昇）しているかのように視認させることができる。このため、測定値Ｉｍを示す表示値Ｉｄ、および補完値Ｉｃを示す表示値Ｉｄを一層違和感なく表示させることができる。
【００３９】
なお、本発明は、上記の構成に限定されない。例えば、互いに異なる２つの補完値Ｉｃを表示させる例について上記したが、これに限定されず、任意の数の補完値Ｉｃを表示させることができる。また、直前に表示させた表示値Ｉｄと補完値Ｉｃとの差分値、および補完値Ｉｃと次に表示させる表示値Ｉｄとの差分値が互いに同一またはほぼ同一となるよう表示値Ｉｄの大きさを規定した例について上記したが、各差分値が異なるように表示値Ｉｄの大きさを規定した構成を採用することもできる。また、表示値Ｉｄが正の値の例について説明したが、負の値の表示値Ｉｄ（測定値）を表示するときにも、上記した処理と同様にして、本発明を適用することができる。また、測定処理３０においてＣＰＵ２４が補完値Ｉｃを算出する構成に代えて、例えば、閾値Ｌに応じて予め規定された１または複数の補完値Ｉｃを表示させる構成を採用することもできる。また、電流測定装置１に本発明を適用した例について上記したが、これに限定されず、電圧、抵抗、温度、速度および流量等の各種の物理量を測定する測定装置に適用することができるのは勿論である。
【図面の簡単な説明】
【００４０】
【図１】電流測定装置１の正面図である。
【図２】電流測定装置１のブロック図である。
【図３】測定処理３０のフローチャートである。
【図４】補完処理４０のフローチャートである。
【図５】補完処理４０の実行時における表示値Ｉｄの変化を示す表示画面図である。
【図６】補完処理４０の非実行時における表示値Ｉｄの変化を示す表示画面図である。
【図７】補完処理５０のフローチャートである。
【図８】補完処理５０の実行時における表示値Ｉｄの変化を示す表示画面図である。
【図９】補完処理５０の非実行時における表示値Ｉｄの変化を示す表示画面図である。
【符号の説明】
【００４１】
１  電流測定装置
２２  表示部
２４  ＣＰＵ
４０，５０  補完処理
Ｉｃ  補完値
Ｉｄ  表示値
Ｉｍ  測定値
Ｌ  閾値
【図１】
2008039531.tif 000003
【図２】
2008039531.tif 000004
【図３】
2008039531.tif 000005
【図４】
2008039531.tif 000006
【図５】
2008039531.tif 000007
【図６】
2008039531.tif 000008
【図７】
2008039531.tif 000009
【図８】
2008039531.tif 000010
【図９】
2008039531.tif 000011